(57)【要約】【課題】内容物の吐出量の調整が容易であること。【解決手段】内容物の減少に伴い減容する透明な内容器１２と、内容器１２内に連通する連通孔５６が形成された内蓋１３と、内蓋１３との間に連通孔５６に連通する連絡空間６５を画成するとともに吐出孔６６が形成された中蓋１４と、第１弁体１５と、第２弁体１６と、内容器１２内に配置され、減容した内容器１２が当接する表示部１１１と、を備え、中蓋１４は、弾性変形することで連絡空間６５の内圧を増減させる操作部５８を備え、操作部５８が下方移動して連絡空間６５の内圧が上昇したときに、第１弁体１５は連通孔５６と連絡空間６５との連通を遮断し、かつ、第２弁体１６は吐出孔６６と連絡空間６５とを連通させ、操作部５８が上方移動して連絡空間６５の内圧が下降したときに、第２弁体１６は吐出孔６６と連絡空間６５との連通を遮断し、かつ、第１弁体１５は連通孔５６と連絡空間６５とを連通させる。【選択図】図２
2019097826.tif 000002
【特許請求の範囲】
【請求項１】
内容物が収容され、内容物の減少に伴い減容する透明な内容器と、
前記内容器の内部を封止し、前記内容器内に連通する連通孔が形成された内蓋と、
前記内蓋の上方に設けられ、前記内蓋との間に前記連通孔に連通する連絡空間を画成するとともに、前記連絡空間に連通して前記内容物を吐出させる吐出孔が形成された中蓋と、
前記連通孔と前記連絡空間との連通、およびその遮断を切り替える第１弁体と、
前記吐出孔と前記連絡空間との連通、およびその遮断を切り替える第２弁体と、
前記内容器内に配置され、減容した前記内容器が当接する表示部と、を備え、
前記中蓋は、前記連絡空間を画成するとともに弾性変形可能に形成され、弾性変形することで前記連絡空間の内圧を増減させる操作部を備え、
前記操作部が下方移動して前記連絡空間の内圧が上昇したときに、前記第１弁体は前記連通孔と前記連絡空間との連通を遮断し、かつ、前記第２弁体は前記吐出孔と前記連絡空間とを連通させ、
前記操作部が上方移動して前記連絡空間の内圧が下降したときに、前記第２弁体は前記吐出孔と前記連絡空間との連通を遮断し、かつ、前記第１弁体は前記連通孔と前記連絡空間とを連通させるコンパクト容器。
【請求項２】
前記表示部は、前記連通孔の軸線上に位置した状態で、前記連通孔の軸線方向に沿う前記連通孔側に向けて移動可能に支持されている請求項１に記載のコンパクト容器。
【請求項３】
前記内容器を収容する外殻体を更に備え、
前記外殻体には、前記内容器を通して前記表示部を視認可能な窓部が設けられている請求項１または２に記載のコンパクト容器。
【請求項４】
前記窓部は、前記外殻体の内部に向けて窪む凹球面状をなすレンズ部材により形成されていることを特徴とする請求項３に記載のコンパクト容器。
【発明の詳細な説明】
【技術分野】
【０００１】
本発明は、コンパクト容器に関する。
【背景技術】
【０００２】
化粧料を収納した中皿容器を備える化粧料収納容器が知られている（例えば、特許文献１参照）。特許文献１の化粧料収納容器では、中皿容器の上面はネットで覆われている。
【先行技術文献】
【特許文献】
【０００３】
【特許文献１】特開２００３−９３１４５号公報
【発明の概要】
【発明が解決しようとする課題】
【０００４】
上記のような化粧料収納容器においては、中皿容器を覆うネットをパフ等で押圧することで、化粧料をネットの網目を通して滲み出させて外部に吐出させる。しかし、この場合、化粧料の吐出量を調整しにくく、所望の量だけ化粧料を吐出させることが困難であった。
【０００５】
本発明は、上述の問題点に鑑み、内容物の吐出量の調整が容易なコンパクト容器を提供することを目的とする。
【課題を解決するための手段】
【０００６】
前記課題を解決するために、本発明は以下の手段を提案している。
本発明に係るコンパクト容器は、内容物が収容され、内容物の減少に伴い減容する透明な内容器と、前記内容器の内部を封止し、前記内容器内に連通する連通孔が形成された内蓋と、前記内蓋の上方に設けられ、前記内蓋との間に前記連通孔に連通する連絡空間を画成するとともに、前記連絡空間に連通して前記内容物を吐出させる吐出孔が形成された中蓋と、前記連通孔と前記連絡空間との連通、およびその遮断を切り替える第１弁体と、前記吐出孔と前記連絡空間との連通、およびその遮断を切り替える第２弁体と、前記内容器内に配置され、減容した前記内容器が当接する表示部と、を備え、前記中蓋は、前記連絡空間を画成するとともに弾性変形可能に形成され、弾性変形することで前記連絡空間の内圧を増減させる操作部を備え、前記操作部が下方移動して前記連絡空間の内圧が上昇したときに、前記第１弁体は前記連通孔と前記連絡空間との連通を遮断し、かつ、前記第２弁体は前記吐出孔と前記連絡空間とを連通させ、前記操作部が上方移動して前記連絡空間の内圧が下降したときに、前記第２弁体は前記吐出孔と前記連絡空間との連通を遮断し、かつ、前記第１弁体は前記連通孔と前記連絡空間とを連通させる。
【０００７】
このコンパクト容器によれば、操作部が下方移動して連絡空間の内圧を上昇させたときに、第１弁体は連通孔と連絡空間との連通を遮断し、かつ、第２弁体は吐出孔と連絡空間とを連通させる。また、操作部が上方移動して連絡空間の内圧を下降させたときに、第２弁体は吐出孔と連絡空間との連通を遮断し、かつ、第１弁体は連通孔と連絡空間とを連通させる。このため、使用者は、操作部を押し下げたりその押し下げを解除したりして操作部を弾性変形させることによって連絡空間の内圧の増減を行うことで、連絡空間内を負圧にして内容器内の内容物を連絡空間内に流入させ、連絡空間内に内容物を充填することができる。この状態で、操作部を押し下げて連絡空間の内圧を上昇させると、連絡空間の内圧の上昇に対応した量だけ、内容物を吐出孔から吐出させることができる。
【０００８】
また、内容器内に表示部が設けられている。内容器が減容して表示部に当接したときには、透明な内容器を通して使用者が表示部を視認し、内容器が表示部に当接したことを起因とした内容器の形状の変化や色の変化などを確認することで、使用者は、内容器が表示部に当接したことを認識することができる。これにより、内容器内の内容物の残量を使用者が認識し、例えば、交換の時期を把握すること等ができる。
【０００９】
前記表示部は、前記連通孔の軸線上に位置した状態で、前記連通孔の軸線方向に沿う前記連通孔側に向けて移動可能に支持されていてもよい。
【００１０】
内容器が減容する過程で、内容器のうち、連通孔の軸線上に位置する部分（以下、「軸上部分」という。）が、他の部分に比べて優先的に減容変形すると、軸上部分が連通孔を閉塞するおそれがある。この場合、内容器内に内容物が残留していても、その内容物は連通孔を通過することができず、内容物が内容器内に残留したままとなる。
このコンパクト容器によれば、表示部が、連通孔の軸線上に位置した状態で、連通孔の軸線方向に沿う連通孔側に向けて移動可能に支持されている。したがって、内容器の軸上部分が、前述のように他の部分に比べて優先的に減容変形しようとしても、表示部がその減容変形に抵抗する。これにより、前記他の部分を軸上部分に比べて優先的に減容変形させることができる。その結果、内容器内の内容物が残留するのを抑制することが可能になり、内容物を効率的に使用することができる。
【００１１】
前記内容器を収容する外殻体を更に備え、前記外殻体には、前記内容器を通して前記表示部を視認可能な窓部が設けられていてもよい。
【００１２】
この場合、外殻体に窓部が設けられている。したがって、外殻体が内容器を保護した状態を維持しつつ、減容した内容器が表示部に当接したことを、外殻体の外部から窓部を通して視認することができる。
【００１３】
前記窓部は、前記外殻体の内部に向けて窪む凹球面状をなすレンズ部材により形成されていてもよい。
【００１４】
この場合、窓部がレンズ部材により形成されている。したがって、減容した内容器が表示部に当接したか否かを外殻体の外部からレンズ部材を通して視認することで、内容器や表示部を、それぞれが拡大された状態で視認することができる。
【発明の効果】
【００１５】
本発明のコンパクト容器によれば、内容物の吐出量の調整が容易である。
【図面の簡単な説明】
【００１６】
【図１】本発明の一実施形態に係るコンパクト容器の上面図である。
【図２】図１に示すＡ−Ａ断面矢視図である。
【図３】図２の要部の拡大図である。
【図４】図２に示す表示部の平面図である。
【図５】図２に示すコンパクト容器において、内容器が減容変形した状態を示す断面図である。
【図６】図２に示すコンパクト容器において、内容器が減容変形した状態を示す要部の断面図である。
【図７】図６に示すコンパクト容器から、内容物を更に吐出した状態を示す断面図である。
【図８】本発明の一変形例に係るコンパクト容器を構成する表示部の平面図である。
【発明を実施するための形態】
【００１７】
＜第１実施形態＞
以下、本発明の第１実施形態に係るコンパクト容器１０について、図１および図２を参照して説明する。なお、実施形態の説明に用いる図面は、本発明の特徴をわかりやすくするために、要部となる部分を拡大、強調、抜粋して示す場合がある。
【００１８】
図１および図２に示すように、本実施形態のコンパクト容器１０は、平面視円形状の扁平容器である。コンパクト容器１０は、外殻体１１と、内容器１２と、内蓋１３と、中蓋１４と、第１弁体１５と、第２弁体１６と、付勢部１０１と、表示部１１１と、を備える。
外殻体１１は、内容器１２、内蓋１３および中蓋１４を覆って、これらを内部に収容する。つまりコンパクト容器１０のうち、外殻体１１以外の部材は、外殻体１１の内部に収容される。外殻体１１は、底部材２１と、蓋部材２２と、を備える。底部材２１は、有底円筒状である。蓋部材２２は、有頂円筒状である。蓋部材２２は、底部材２１に対して回転軸Ｒ回りに回動可能に取り付けられている。
【００１９】
以下では、外殻体１１の中心軸線（コンパクト容器１０の中心軸線）を容器軸Ｏと呼び、容器軸Ｏに沿う方向（容器軸Ｏが延在する方向）を上下方向Ｚと呼ぶ。上下方向Ｚに沿って底部材２１から蓋部材２２へ向かう方向を上方と呼び、蓋部材２２から底部材２１へ向かう方向を下方と呼ぶ。
上下方向Ｚから見た平面視で、容器軸Ｏに直交する方向を径方向と呼ぶ。径方向に沿って容器軸Ｏに接近する方向を径方向内側と呼び、容器軸Ｏから離間する方向を径方向外側と呼ぶ。径方向のうち、回転軸Ｒに平行な方向を左右方向Ｙと呼び、回転軸Ｒに直交する方向を前後方向Ｘと呼ぶ。前後方向Ｘに沿って、容器軸Ｏから回転軸Ｒへ向かう方向を後方と呼び、回転軸Ｒから容器軸Ｏへ向かう方向を前方と呼ぶ。
容器軸Ｏ回りに周回する方向を周方向と呼ぶ。
【００２０】
図２に示すように、底部材２１は、容器軸Ｏと同軸に配置された円板状の底板部２３と、底板部２３の外周縁から上方に延びる円筒状の筒状壁部２４と、を備える。
筒状壁部２４の前方端部には、後方に向けて窪む係合空間２５が設けられている。係合空間２５は、前方および上方に向けて開口している。係合空間２５は、前方を向く後壁部２６と、上方を向く底壁部２７と、により画成されている。
【００２１】
後壁部２６のうち左右方向Ｙの中央に位置する部分には、前方に向けて突出したガイド壁部２８が形成されている。ガイド壁部２８の上面は、前方に向かうにしたがい下方に向けて傾斜する傾斜面とされている。後壁部２６のうちガイド壁部２８よりも上方に位置する部分には、前方に向けて突出した第１係合部２９が形成されている。後壁部２６のうちガイド壁部２８よりも下方に位置する部分には、後壁部２６を前後方向Ｘに貫通する逃げ孔３０が形成されている。
【００２２】
底部材２１は、底板部２３から上方に延びる係合板部（図示省略）を備える。係合板部は、周方向に沿って等間隔に複数形成されている。係合板部の表裏面は、径方向と直交するように配置される。係合板部の上端部には、径方向内側に突出する係合爪が設けられる。
【００２３】
蓋部材２２は、底部材２１における筒状壁部２４の後方端部に取り付けられている。蓋部材２２は、底部材２１の上端開口を開閉可能に閉塞する。
蓋部材２２は、容器軸Ｏと同軸に配置された円板状の天板部３３と、天板部３３の外周縁から下方に延びる円筒状の筒部３４と、を備える。蓋部材２２の天板部３３の下面には、鏡Ｍが固定される。
【００２４】
蓋部材２２のうち前方端部には、下方に向けて係合片３５が突設されている。係合片３５は、筒部３４における内周面から下方に向けて突出するとともに左右方向Ｙに延びた板状に形成され、係合空間２５内に上方から入り込んでいる。
係合片３５の下端部には、後方に向けて突出するとともに、底部材２１に形成された第１係合部２９に対して離脱可能にアンダーカット嵌合される第２係合部３６が形成されている。第１係合部２９に対して第２係合部３６が下方から係合することによって、蓋部材２２は閉状態でロックされる。
【００２５】
係合空間２５内には、第１係合部２９と第２係合部３６との係合を解除するプッシュピース３７が設けられている。
プッシュピース３７は、係合片３５よりも前方に配置された操作壁部３８と、操作壁部３８から後方に向けて突設され、ガイド壁部２８の傾斜面上に位置する解除突起３９と、操作壁部３８の下端部から後方に向けて突設され、底壁部２７に載置されるベース部４０と、を備える。プッシュピース３７は、後方に向けて押し込まれたときに、底部材２１および蓋部材２２に対して後方へ移動可能である。
【００２６】
解除突起３９は、プッシュピース３７の後方への移動にともなってガイド壁部２８の傾斜面に沿って後方に移動し、第２係合部３６を下方から押し上げて、第１係合部２９から離脱させる。これにより、第１係合部２９と第２係合部３６との係合を解除することができ、蓋部材２２を開操作可能な状態とすることができる。
なお、プッシュピース３７は、後方に移動したときに、解除突起３９の復元変形によって、前方に向けて復元移動する。
【００２７】
ベース部４０は、プッシュピース３７の後方への移動にともなって、後壁部２６に形成された逃げ孔３０内に前方から入り込む。また、ベース部４０には、下方に向けて突出し、底壁部２７に形成された係止凹部４１に係止する係止凸部４２が形成されている。これにより、プッシュピース３７は、前方への抜け止めがされた状態で、外殻体１１に組み合わされている。
【００２８】
なお、上述したプッシュピース３７は必須な構成ではなく、具備しなくても構わない。
例えば指先等によって、係合片３５の下端部を前方に向けて僅かに撓ませるように変形させることで、第１係合部２９と第２係合部３６との係合を解除し、蓋部材２２の閉状態のロックを解除しても構わない。
【００２９】
内容器１２には、内容物が収容される。内容器１２は、内容物の減少に伴い減容する。内容器１２は、透明である。なお内容器１２は、内部を視認可能な程度の透明性を有していればよい。例えば、内容器１２は、無色透明、有色透明（着色された透明）のいずれであってもよい。さらに内容器１２は、完全な透明、半透明のいずれであってもよい。
【００３０】
内容器１２は、底部材２１の筒状壁部２４の径方向内側に配置されている。内容器１２は、容器軸Ｏと同軸に配置され、上方に開口する扁平円筒状の容器である。内容器１２は、可撓性を有し減容可能（減容変形可能）である。内容器１２は、例えば、積層のフィルムや薄肉の樹脂成形品などで構成されている。内容器１２は、可撓性に富む内側容器が、内側容器よりも硬質な外側容器の内面に積層されてなる、いわゆるデラミ容器などであってもよい。内容器１２内（後述の収容空間４５）が減容可能なその他の構成などを採用してもよい。内容器１２の上端部には、内容器１２の上端部を径方向外側から囲む環状の取付けリング４３が固定されている。取付けリング４３は、上方に突出する係合筒部４４を有する。係合筒部４４は、取付けリング４３の内周縁部に配置されている。取付けリング４３は、係合筒部４４よりも径方向の内側に張り出していない。
【００３１】
内容器１２の内部である収容空間４５には、流動性を有する内容物が収容されている。
内容物は、液状であっても、ゲル状であっても、ゼリー状であってもよい。内容物は、例えば、リキッドファンデーション等の化粧品である。
【００３２】
内蓋１３は、内容器１２の上方に配設されている。内蓋１３は、内容器１２の上方の開口を塞ぎ、内容器１２の内部を封止している。内蓋１３は、内容器１２に直接装着された下部材４６と、下部材４６を介して内容器１２に装着された上部材４７と、を備える。
【００３３】
下部材４６は、内蓋円板部４８と、内側筒部４９と、外側筒部５０と、装着筒部５１と、を備える。
内蓋円板部４８は、容器軸Ｏと同軸に配置された円板状である。内蓋円板部４８は、内容器１２の上方の開口を覆っている。内蓋円板部４８は、外周部４８ａと、内周部４８ｂと、を備えている。外周部４８ａおよび内周部４８ｂは、いずれも容器軸Ｏと同軸に配置された円環状である。内周部４８ｂは、外周部４８ａに対して径方向の内側に位置している。
【００３４】
外周部４８ａの上下面は、容器軸Ｏと直交する方向に延びている。外周部４８ａの下面には、径方向に延びる突条部４８ｃが設けられている。突条部４８ｃは、周方向に間隔をあけて複数設けられている。
内周部４８ｂは、外周部４８ａの内周縁部から径方向の内側に向けて延びている。内周部４８ｂは、外周部４８ａよりも薄肉である。内周部４８ｂの上面と外周部４８ａの上面とは、段部を介して連結されている。内周部４８ｂは、径方向の内側に向かうに従い上方に向けて延びている。内周部４８ｂは、上下方向Ｚに沿う縦断面視において、下方に向けて凸となる曲線状に形成されている。
【００３５】
装着筒部５１は、内蓋円板部４８の内周端から下方に向けて突設される。図３に示すように、装着筒部５１は、容器軸Ｏと同軸に配置されている。装着筒部５１は、内容器１２内に開口する。装着筒部５１の下端には、径方向の内側に向けて突出する係止部５１ａが設けられている。係止部５１ａは、容器軸Ｏと同軸の円環状に形成されている。
図２に示すように、内側筒部４９は、内蓋円板部４８（外周部４８ａ）の外周縁から上方に延びる円筒状である。
外側筒部５０は、内側筒部４９よりも径方向外側において、容器軸Ｏと同軸に配置された円筒状である。外側筒部５０の上端部は、内側筒部４９の上端部と連結されている。
【００３６】
径方向に沿う外側筒部５０と内側筒部４９との間には、取付けリング４３の係合筒部４４が嵌合されている。これにより、取付けリング４３を介して内容器１２と内蓋１３とが固定されている。外側筒部５０の下端は、取付けリング４３と接触しているが、内側筒部４９の下端は、取付けリング４３と接触していない。
なお取付けリング４３と、外側筒部５０や内側筒部４９の各下端と、の接触状態については、図示の例に限られない。例えば本実施形態では、取付けリング４３が、係合筒部４４よりも径方向の内側に張り出しておらず、内側筒部４９の下端が、取付けリング４３と接触していないが、取付けリング４３が、係合筒部４４よりも径方向の内側に張り出していて、内側筒部４９の下端が、取付けリング４３と接触していてもよい。また、外側筒部５０の下端が、取付けリング４３と接触していなくてもよい。
【００３７】
上部材４７は、取付け筒部５２と、第１弁座部５３と、外周筒部５４と、連結環部５５と、を備える。
図３に示すように、取付け筒部５２は、容器軸Ｏと同軸の円筒状に形成されている。取付け筒部５２は、装着筒部５１内に嵌合している。
第１弁座部５３は、容器軸Ｏと同軸に配置され、取付け筒部５２よりも小径とされた筒部５３ａ（周壁部）と、筒部５３ａの上端部から径方向内側へ広がる弁座板５３ｂと、を備える。第１弁座部５３の筒部５３ａの下端部は、取付け筒部５２の下端部に、連結部５３ｃを介して連結される。連結部５３ｃの外周縁部は、下部材４６の前記係止部５１ａに当接している。連結部５３ｃにおいて外周縁部よりも内側に位置する中央部は、前記係止部５１ａに当接しておらず、下部材４６から下方に向けて露出している。この中央部の下面には、径方向に延びる連通溝５３ｄが形成されている。連通溝５３ｄは、周方向に間隔をあけて複数設けられている。
【００３８】
第１弁座部５３の弁座板５３ｂは、取付け筒部５２の上端よりも下方に位置している。第１弁座部５３の弁座板５３ｂの中央部には、この弁座板５３ｂを上下方向Ｚに貫通する連通孔５６が形成されている。このため弁座板５３ｂは、リング板状である。連通孔５６は、容器軸Ｏと同軸に配置された円孔状である。連通孔５６は、内容器１２内に連通する。つまり、内蓋１３には、内容器１２内に連通する連通孔５６が形成される。
【００３９】
図２に示すように、外周筒部５４は、容器軸Ｏと同軸の円筒状である。外周筒部５４は、取付け筒部５２よりも大径であり、内側筒部４９よりも小径である。外周筒部５４は、内側筒部４９内に配置されている。外周筒部５４の下端部には、この下端部から径方向外側へ広がるフランジ部が形成されている。外周筒部５４のフランジ部は、内蓋円板部４８の上面における径方向外側の端部に対して、その上方から対向している。
【００４０】
連結環部５５は、容器軸Ｏと同軸に配置されている。連結環部５５は、板面が上下方向Ｚを向くリング板状である。連結環部５５の内周縁部は、取付け筒部５２の上端部に連結されている。連結環部５５の外周縁部は、外周筒部５４の上端部に連結されている。連結環部５５の外周縁部は、外周筒部５４の上端よりも下方で、かつ、外周筒部５４の上下方向Ｚの中央よりも上方に位置している。
【００４１】
連結環部５５には、周方向に間隔をあけて複数の収容凹部７７が形成されている。本実施形態の例では、収容凹部７７が、容器軸Ｏの左方、右方および後方に配置されている（図１参照）。図２に示すように、収容凹部７７は、連結環部５５において下方に窪む凹状である。
連結環部５５のうち、容器軸Ｏよりも前方に位置する部分には、第２弁座部６７が配置される。第２弁座部６７は、連結環部５５において上方に突出する凸状である。本実施形態では、第２弁座部６７が有頂筒状である。図示の例では、第２弁座部６７が、有底筒状の窪み部７８の底壁から、上方に向けて突設されている。窪み部７８は、連結環部５５のうち、容器軸Ｏよりも前方に位置する部分に配置される。窪み部７８は、連結環部５５において下方に窪む凹状である。図１に示すように、本実施形態の例では、第２弁座部６７および窪み部７８が、周方向に延びる円弧状をなす。
【００４２】
図２に示すように、中蓋１４は、内蓋１３の上方に設けられる。中蓋１４は、有頂筒状に形成されている。中蓋１４は、中蓋１４の周壁を形成する装着リング５７と、中蓋１４の頂壁を形成する操作部５８と、を備える。
【００４３】
装着リング５７は、内蓋１３に装着されている。装着リング５７は、上端部同士が連結された内筒５９および外筒６０を有する二重円筒状に形成されている。外筒６０の外周面の下部には、周方向に延びる周溝（図示省略）が周方向に互いに間隔をあけて複数形成されている。周溝には、底部材２１の図示しない係合板部の係合爪が係合する。これにより、装着リング５７が底部材２１から外れることが抑制される。
【００４４】
装着リング５７における内筒５９と外筒６０との間には、内蓋１３の下部材４６（内側筒部４９および外側筒部５０）が嵌合されて固定されている。これにより、内容器１２が、取付けリング４３を介して装着リング５７（中蓋１４）に固定される。内容器１２は、中蓋１４に固定された状態において、底部材２１の底板部２３から上方に離れて配置される。
【００４５】
装着リング５７の上面には、上方に突出する隆起部６２が形成されている。隆起部６２は、環状である。隆起部６２の平面視形状は、容器軸Ｏと同軸に配置された円形リング状である。隆起部６２の内周面は、上方に向かうにしたがい径方向外側へ向けて延びる曲面状である。コンパクト容器１０が閉じた状態において、隆起部６２の径方向内側に位置する操作部５８の上面には、パフＰ（塗布具）が設置される。
【００４６】
装着リング５７の外周面には、径方向外側に広がるフランジ部６３が設けられている。
フランジ部６３は、装着リング５７の外周面において、全周にわたって設けられている。
フランジ部６３の下面は、底部材２１の筒状壁部２４の上面に対して、その上方から接触する。
【００４７】
操作部５８は、装着リング５７の内部を上方から閉塞する。本実施形態では、操作部５８が円板状である。操作部５８の外周縁部は、装着リング５７において隆起部６２よりも径方向内側に位置する部分の上面に連結されている。操作部５８の上面は、装着リング５７において操作部５８に径方向外側から連なる部分と段差なく面一に形成されている。
操作部５８は、上下方向Ｚから見て、後述する第１弁体１５に重なる位置に配置される。
【００４８】
操作部５８は、弾性変形可能に形成されている。操作部５８の材質は、例えばエラストマー、ニトリルゴム、ブチルゴム、シリコンゴム、軟質ポリエチレンおよびウレタン等（以下、単に「エラストマー等」という）の軟材質である。操作部５８は、装着リング５７よりも軟質であり、装着リング５７は、操作部５８より硬質である。図示の例では、操作部５８において外周縁部（装着リング５７に連結されている部分）よりも径方向内側に位置する中央部が、上下方向Ｚに弾性変形可能に形成されている。
【００４９】
操作部５８の下面には、垂下筒部７９と、規制壁部８１と、弾性板８２と、が備えられる。
垂下筒部７９は、容器軸Ｏに同軸に配置される。垂下筒部７９は、操作部５８の下面から下方へ向けて突設された円筒状である。垂下筒部７９は、内筒５９の径方向内側に嵌合し、かつ外周筒部５４の径方向外側に嵌合する。垂下筒部７９は、内筒５９と外周筒部５４とによって径方向から挟まれ、固定されている。
図示の例では、操作部５８の下面に、外周筒部５４の上端が当接している。
【００５０】
規制壁部８１は、操作部５８の下面から下方へ向けて突設された筒状である。規制壁部８１は、第２弁座部６７を上下方向Ｚ以外の方向（前後方向Ｘおよび左右方向Ｙ）から囲う。図示の例では、規制壁部８１内に、第２弁座部６７が嵌合している。また、規制壁部８１の下端部は、窪み部７８の周壁内に嵌合する。これにより、規制壁部８１の下端部は、第２弁座部６７の周壁と窪み部７８の周壁とによって、上下方向Ｚ以外の方向から挟まれ、固定されている。また、規制壁部８１の下端は、窪み部７８の底壁に対して、その上方から当接している。特に図示しないが、操作部５８の下面視において、規制壁部８１は、第２弁座部６７および窪み部７８の形状に対応して、周方向に延びる円弧状をなす。
【００５１】
弾性板８２は、操作部５８の下面から下方へ向けて突設された板状である。弾性板８２は、弾性変形可能である。図１に示すように、本実施形態の例では、弾性板８２が四角形板状である。操作部５８の下面には、周方向に間隔をあけて複数の弾性板８２が形成されている。弾性板８２は、容器軸Ｏの左方、右方および後方に配置されている。図２に示すように、弾性板８２は、操作部５８の下面から下方へ向かうにしたがい後方へ向けて延びる。弾性板８２は、収容凹部７７内に配置される。弾性板８２の下端部は、収容凹部７７の底面に当接する。弾性板８２は、操作部５８と一体に形成される。
【００５２】
操作部５８には、環状の薄肉部６４が形成されている。薄肉部６４は、容器軸Ｏに同軸に配置される。薄肉部６４は、操作部５８において後述する連絡空間６５を画成する部分に形成されている。薄肉部６４は、操作部５８の中央部における外周部分に形成されている。薄肉部６４は、操作部５８の下面が上方に向けて窪むことで形成されている。操作部５８の上面は、薄肉部６４を径方向にまたぐ両側（内外）で面一とされている。
【００５３】
中蓋１４は、内蓋１３との間に、連通孔５６に連通する連絡空間６５を画成する。本実施形態において連絡空間６５は、外周筒部５４（上部材４７）の上方の開口が操作部５８によって閉じられて形成されている。操作部５８は、装着リング５７の内部を上方から閉塞して装着リング５７の内部に連絡空間６５を画成する。連絡空間６５は、平面視円形状に形成されている。連絡空間６５の上下方向Ｚの大きさ（高さ）は、外周筒部５４の上下方向Ｚの大きさの１／２よりも小さくなっている。操作部５８は、弾性変形することで連絡空間６５の内圧を増減させる。
【００５４】
図１および図２に示すように、中蓋１４には、内容物を吐出させる吐出孔６６が形成されている。吐出孔６６の平面視形状は、円形状である。吐出孔６６は、中蓋１４に複数形成されている。本実施形態では、吐出孔６６が、中蓋１４のうち容器軸Ｏよりも前方に位置する部分に位置しており、周方向に円弧状に配列している。
【００５５】
図２に示すように、吐出孔６６は、操作部５８に形成され、操作部５８を上下方向Ｚに貫通する。吐出孔６６は、連絡空間６５と連通する。本実施形態では、吐出孔６６と連絡空間６５とが、第２弁座部６７の周壁、窪み部７８の底壁および周壁に形成された複数の溝部８３によって、互いに連通する。吐出孔６６は、内蓋１３に設けられた第２弁座部６７により閉塞される。吐出孔６６は、第２弁座部６７の頂壁によって、下方から塞がれる。
中蓋１４は、例えば、装着リング５７をインサート品としたインサート成形により作製される。
【００５６】
第１弁体１５は、内蓋１３の連通孔５６と連絡空間６５との連通、およびその遮断を切り替える弁である。本実施形態において第１弁体１５は、内蓋１３に設けられている。
第１弁体１５は、弁筒８４と、弁本体８５と、を備えている。
本実施形態では、弁筒８４が、内蓋１３の取付け筒部５２内に嵌合している。図３に示すように、弁筒８４内には、第１弁座部５３の筒部（周壁部）が配置される。弁筒８４の下端は、内蓋１３の前記連結部５３ｃに対して、その上方から当接する。
弁本体８５は、弁筒８４の上端部に連結される。弁本体８５は、弁筒８４内に配置される。弁本体８５は、円板状の弁板と、弁板と弁筒８４とを連結する複数の弾性脚と、を備える。弁本体８５は、弁筒８４に対して上下方向Ｚに移動可能である。第１弁座部５３の弁座板５３ｂが、弁本体８５の弁板に対して、その下方から当接する。
【００５７】
第１弁体１５は、連通孔５６の上方を覆っている。第１弁体１５は、逆止弁である。第１弁体１５は、内容器１２の収容空間４５から連絡空間６５への流体（内容物。以下同様）の流れを許容し、連絡空間６５から収容空間４５への流体の流れを遮断する。本実施形態の例では、第１弁体１５として、三点弁を用いている。なお、内容器１２に収容する内容物の性状などに応じて、例えば、三点弁の形状を適宜変更することや、三点弁とは異なる構成の逆止弁を第１弁体１５として採用することができる。
【００５８】
図２に示すように、第２弁体１６は、中蓋１４の吐出孔６６と連絡空間６５との連通、およびその遮断を切り替える弁である。本実施形態において第２弁体１６は、中蓋１４に設けられている。第２弁体１６は、操作部５８と一体に形成されている。
第２弁体１６は、操作部５８において吐出孔６６の開口周縁部を含む部分により形成されている。本実施形態では第２弁体１６が、操作部５８のうち、筒状の規制壁部８１に囲まれた部分に形成される。
【００５９】
第２弁体１６は、操作部５８における他の部分よりも薄肉に形成され、薄肉部６４よりも薄肉に形成されている。第２弁体１６の平面視形状は、第２弁座部６７の平面視形状と相似形状であり、第２弁座部６７の平面視形状よりも大きい（図１参照）。図２に示すように、第２弁体１６は、第２弁座部６７に着座することで、吐出孔６６と連絡空間６５との連通を遮断している。第２弁体１６は、第２弁体１６が弾性変形して第２弁座部６７から離れたときに、吐出孔６６と連絡空間６５とを連通させる。第２弁体１６は、逆止弁である。第２弁体１６は、連絡空間６５から外部への流体の流れを許容し、外部から連絡空間６５への流体の流れを遮断する。
【００６０】
付勢部１０１は、下方移動した操作部５８を上方に向けて付勢する。付勢部１０１は、弾性変形可能である。図２に示すように、付勢部１０１は、内蓋１３と中蓋１４の間に配置されている。付勢部１０１は、内蓋１３の上部材４７と、中蓋１４の操作部５８との間に配置される。付勢部１０１は、連絡空間６５内に配置される。
【００６１】
付勢部１０１は、操作部５８のうち、上下方向Ｚから見て第１弁体１５に重なる部分を、上方に向けて付勢する。付勢部１０１は、中蓋１４および第１弁体１５には一体に設けられていない。付勢部１０１は、内蓋１３と中蓋１４との間に、独立した部材として設けられている。
【００６２】
付勢部１０１は、弾性変形可能である。付勢部１０１は、容器軸Ｏに同軸に配置された環状部１０２と、環状部１０２の上端部に接続され、環状部１０２の内部空間をその上方から覆うドーム壁部１０３と、を備える。
環状部１０２は、取付け筒部５２内に嵌合する。環状部１０２の下端は、弁筒８４の上端面に対して、その上方から当接する。
【００６３】
ドーム壁部１０３は、上方に向けて凸となるドーム状である。ドーム壁部１０３の中央部（頂部）は、操作部５８の下面に対して、その下方から当接する。ドーム壁部１０３には、ドーム壁部１０３を上下方向Ｚに貫通する貫通孔１０４が形成される。貫通孔１０４は、ドーム壁部１０３において周方向に互いに間隔をあけて複数形成される。貫通孔１０４は、付勢部１０１の内部空間と外部空間とを連通する。貫通孔１０４内を通して、内容物が流通する。
【００６４】
操作部５８が押し下げられたときに、付勢部１０１は弾性変形する。このとき、付勢部１０１は、復元変形力によって操作部５８を上方に向けて付勢する。
【００６５】
表示部１１１は、内容器１２内に配置されている。表示部１１１には、減容した内容器１２が当接する。コンパクト容器１０から内容物が吐出される前の未開封状態（未使用状態、初期状態）で、表示部１１１は、内容器１２内に、内容器１２の内面および内蓋１３の前記上部材４７の下面から離間した状態で配置されている。表示部１１１は、容器軸Ｏ（連通孔５６の軸線）上に位置した状態で、上下方向Ｚ（連通孔５６の軸線方向）に沿う連通孔５６側である上側に向けて移動可能に支持されている。
【００６６】
表示部１１１は、本体部１１２と、支持部１１３と、を備えている。
本体部１１２は、容器軸Ｏと同軸に配置された板状（円板状）に形成されている。図３および図４に示すように、本体部１１２は、内蓋１３の前記係止部５１ａよりも小径である。本体部１１２の下面には、窪み部１１２ａが設けられている。窪み部１１２ａは、本体部１１２の下面から上方に向けて窪んでいる。窪み部１１２ａは、本体部１１２の外周縁部を除く部分に形成されている。図４に示すように、窪み部１１２ａは、本体部１１２を下面から見た平面視において円形状に形成されている。
【００６７】
窪み部１１２ａの底面（表示部１１１の下面）には、標識部１１４が設けられている。標識部１１４は、窪み部１１２ａの底面に設けられた凹凸部１１５により形成されている。本実施形態では、窪み部１１２ａの底面に凹部１１６が設けられている。凹部１１６は、前記平面視において矩形状に形成されている。前記平面視における凹部１１６の外周縁部は、表示部１１１の外周縁部に形成された第１溝部１１７を通して外部に連通する。凹部１１６における底面には、前記平面視において文字をなす凸部１１８が設けられている。本実施形態では、凸部１１８は、前記平面視において「ＥＮＤ」という文字列をなす。凸部１１８のうち、「Ｄ」をなす部分には、前記平面視における「Ｄ」の内側と外側とを連通する第２溝部１１９が設けられている。
【００６８】
図３に示すように、支持部１１３は、本体部１１２を、容器軸Ｏ上に位置させた状態で、上側に向けて移動可能に支持している。支持部１１３は、本体部１１２と内蓋１３とを連結している。支持部１１３は、弾性変形可能とされている。支持部１１３は、その自然長の状態（弾性変形させられていない状態）で、本体部１１２を、内容器１２内において、内容器１２の内面および内蓋１３の前記上部材４７の下面から離間した位置に配置させている。支持部１１３は、本体部１１２が上方に向けて移動すると、弾性変形させられる。
【００６９】
図４に示すように、支持部１１３は、複数の弾性連結片１２０を備えている。複数の弾性連結片１２０は、周方向に間隔をあけて配置されている。各弾性連結片１２０は、本体片１２１と、第１連結片１２２と、第２連結片１２３と、を備えている。本体片１２１は、周方向に延びている。第１連結片１２２は、本体片１２１における周方向の一端部と本体部１１２とを連結している。第２連結片１２３は、本体片１２１における周方向の他端部と内蓋１３とを連結している。
【００７０】
図２に示すように、本実施形態において内容器１２と内蓋１３と中蓋１４とは、リフィル容器１７を構成している。リフィル容器１７は、外殻体１１に対して着脱自在に設けられている。これにより、使用者は、内容器１２内の内容物を使い切った後に、リフィル容器１７を、内容物が充填された新しいリフィル容器１７と交換することができる。
外殻体１１からリフィル容器１７を取り外す際、使用者は、底部材２１の係合板部の係合爪と、装着リング５７の周溝との係合状態を解除する。
【００７１】
外殻体１１には、内容器１２を通して表示部１１１を視認可能な窓部１１ａが設けられている。窓部１１ａは、外殻体１１の前記底部材２１に設けられている。窓部１１ａは、容器軸Ｏと同軸に配置されている。窓部１１ａは、レンズ部材１１ｂによって形成されている。レンズ部材１１ｂは、上方（外殻体１１の内部）に向けて窪む凹球面状をなす。本実施形態では、底部材２１に、容器軸Ｏと同軸の開口部１１ｃが形成されていて、開口部１１ｃにレンズ部材１１ｂが装着されている。レンズ部材１１ｂは、無色の完全な透明である。レンズ部材１１ｂは、外殻体１１の下面以上の高さ位置に位置している。レンズ部材１１ｂは、表示部１１１（本体部１１２）よりも大径であり、レンズ部材１１ｂを通して表示部１１１の全体を視認可能である。
【００７２】
なお図示の例では、レンズ部材１１ｂには、固定リング１１ｄが設けられている。固定リング１１ｄは、レンズ部材１１ｂの外周縁部から径方向の外側に向けて突出している。固定リング１１ｄの下面が、底部材２１における開口部１１ｃの開口周縁部に上方から嵌合することで、レンズ部材１１ｂが固定リング１１ｄを介して外殻体１１に固定されている。
【００７３】
次に、本実施形態のコンパクト容器１０の内容物の吐出方法について説明する。
コンパクト容器１０が未使用状態の場合、内容物は、収容空間４５内にのみ収容されており、連絡空間６５には、例えば空気が充填されている。
まず、使用者は、プッシュピース３７を操作して、外殻体１１の蓋部材２２を開く。操作部５８を上方から押圧して、下方に窪ませるように弾性変形させる。操作部５８が下方に窪むように弾性変形すると連絡空間６５の容積が小さくなるため、連絡空間６５の内圧が上昇する。つまり、操作部５８の少なくとも一部が下方移動させられることにより、連絡空間６５の内圧が上昇する。すると、連絡空間６５の内圧によって第２弁体１６が上方に向けて弾性的に膨出変形して第２弁座部６７から離間し、吐出孔６６の閉塞状態が解除され、連絡空間６５内の空気の一部が吐出孔６６から外部へと排出される。その後、第２弁体１６が復元変形して第２弁座部６７に着座し、吐出孔６６を閉塞する。このとき、第１弁体１５は連絡空間６５から収容空間４５への流体の移動を遮断するため、第１弁体１５によって連通孔５６が閉塞されており、連絡空間６５内の空気が連通孔５６から収容空間４５に流れることが抑制される。このように、操作部５８が下方移動して連絡空間６５の内圧が上昇したときに、第１弁体１５は連通孔５６と連絡空間６５との連通を遮断し、かつ、第２弁体１６は吐出孔６６と連絡空間６５とを連通させる。
【００７４】
次に、使用者は、操作部５８に加えている押圧力を解除して、弾性変形していた操作部５８を元の状態に復元させる。このとき、付勢部１０１は、操作部５８を上方に向けて付勢して復元変形を促す。また、弾性板８２が、操作部５８の復元変形をアシストする。これにより、連絡空間６５の容積が増加して、連絡空間６５内が負圧となる。つまり、下方移動させられた操作部５８の部分が、元の位置へ向けて上方移動させられることにより、連絡空間６５の内圧が下降する。このとき、吐出孔６６は第２弁体１６によって閉塞されているため、外部から連絡空間６５へ空気が入ることが抑制される。そのため、連通孔５６を通して、収容空間４５内の内容物が連絡空間６５内に吸い上げられる。第１弁体１５は収容空間４５から連絡空間６５への流体の流れを許容するため、第１弁体１５は、連通孔５６と連絡空間６５とを連通させた状態となっており、内容物の流れを阻害しない。これにより、連絡空間６５内に内容物が流入される。このように、操作部５８が上方移動して連絡空間６５の内圧が下降したときに、第２弁体１６は吐出孔６６と連絡空間６５との連通を遮断し、かつ、第１弁体１５は連通孔５６と連絡空間６５とを連通させる。
【００７５】
使用者は、上述した操作部５８の弾性変形と復元とを複数回行うことにより、連絡空間６５の空気を外部に排出するとともに、連絡空間６５内に内容物を充填させていくことができる。ここで、内容器１２は可撓性を有しており、内容物が連通孔５６を通して連絡空間６５に流出することにともない減容する（減容変形する）ため、内容物の減少にともなって収容空間４５の内圧が小さくなると、内容器１２が縮小変形して収容空間４５の容積が小さくなる。これにより、内容物が連絡空間６５に流入して収容空間４５内の内容物の総量が減った場合であっても、収容空間４５から連絡空間６５へと安定して内容物を送ることが可能である。
【００７６】
連絡空間６５に内容物が充填された状態において、操作部５８を弾性変形させると、連絡空間６５の内圧が上昇する。これにより、第２弁体１６が上方に向けて膨出変形し、吐出孔６６の閉塞が解除される。したがって、連絡空間６５内から押し出された分の内容物が吐出孔６６から外部へと吐出される。このようにして、使用者は、内容物を吐出させることができる。内容物は、吐出孔６６から中蓋１４の上面のうち隆起部６２の内側に吐出される。そのため、内容物が中蓋１４の上面上からこぼれることを抑制できる。使用者は、パフＰ等によって中蓋１４の上面を拭うことで内容物をパフＰ等に付着させて使用する。
【００７７】
ところで、操作部５８の弾性変形と復元とを複数回行う過程で、内容物が内容器１２内の収容空間４５から連絡空間６５に流出するときには、まず、内容器１２のうち容器軸Ｏ上（連通孔５６の軸線上）に位置する部分（以下、「軸上部分１２ａ」という。）が、他の部分に比べて優先的に減容変形する。このとき、軸上部分１２ａは上方に向けて変形し、内容器１２のうち、軸上部分１２ａに対して径方向の外側に位置する部分（以下、「周縁部分１２ｂ」という。）は、軸上部分１２ａよりも変形量が小さいか、変形しない状態で維持される。
【００７８】
軸上部分１２ａが表示部１１１に当接すると、軸上部分１２ａの更なる変形は、表示部１１１（支持部１１３）の弾性力により抑制される。その後、内容器１２の周縁部分１２ｂが優先的に、内蓋１３（下部材４６）の下面に当接するまで減容変形する。このとき内容器１２の周縁部分１２ｂが、内蓋１３の前記外周部４８ａの下面に当接すると、収容空間４５が、外周部４８ａよりも径方向の外側の周縁空間４５ａ（図５参照）と、外周部４８ａよりも径方向の内側の中央空間４５ｂ（図５参照）と、に分断されるものの、これらの両空間４５ａ、４５ｂは、周方向に隣り合う突条部４８ｃの間の隙間を通して連通される。そのため、仮に周縁空間４５ａに内容物が残留していても、この内容物を、前記隙間および中央空間４５ｂを通してコンパクト容器１０から吐出することができる。
【００７９】
内容物の吐出を複数回実施すると、内容器１２の軸上部分１２ａが、表示部１１１の弾性力に抗して表示部１１１とともに徐々に上昇し、図５および図６に示すように、表示部１１１が内蓋１３（上部材４７）の下面に当接する。その後、内容物を更に吐出しようとすると、内容器１２が更に減容変形することで、図７に示すように、凹部１１６内の内容物が第１溝部１１７を通して凹部１１６から内容器１２によって押し出される。これにより、内容器１２（軸上部分１２ａ）が表示部１１１に圧接し、標識部１１４の文字列（「ＥＮＤ」）が立体的に浮き上がる。なお、凹部１１６から押し出された内容物は、第１溝部１１７を通して表示部１１１の外部に排出された後、表示部１１１と支持部１１３との間の隙間を通して連通溝５３ｄに流入し、連通溝５３ｄから連通孔５６に向けて流通する。
【００８０】
以上説明したように、本実施形態のコンパクト容器１０によれば、操作部５８が下方移動して連絡空間６５の内圧を上昇させたときに、第１弁体１５は連通孔５６と連絡空間６５との連通を遮断し、かつ、第２弁体１６は吐出孔６６と連絡空間６５とを連通させる。
また、操作部５８が上方移動して連絡空間６５の内圧を下降させたときに、第２弁体１６は吐出孔６６と連絡空間６５との連通を遮断し、かつ、第１弁体１５は連通孔５６と連絡空間６５とを連通させる。このため、使用者は、操作部５８を押し下げたりその押し下げを解除したりして操作部５８を弾性変形させることによって連絡空間６５の内圧の増減を行うことで、連絡空間６５内を負圧にして内容器１２内の内容物を連絡空間６５内に流入させ、連絡空間６５内に内容物を充填することができる。この状態で、操作部５８を押し下げて連絡空間６５の内圧を上昇させると、連絡空間６５の内圧の上昇に対応した量だけ、内容物を吐出孔６６から吐出させることができる。
【００８１】
また、内容器１２内に表示部１１１が設けられている。内容器１２が減容して表示部１１１に当接したときには、透明な内容器１２を通して使用者が表示部１１１を視認し、内容器１２が表示部１１１に当接したことを起因とした内容器１２の形状の変化や色の変化などを確認することで、使用者は、内容器１２が表示部１１１に当接したことを認識することができる。これにより、内容器１２内の内容物の残量を使用者が認識し、例えば、交換の時期を把握すること等ができる。
【００８２】
また、外殻体１１に窓部１１ａが設けられている。したがって、外殻体１１が内容器１２を保護した状態を維持しつつ、減容した内容器１２が表示部１１１に当接したことを、外殻体１１の外部から窓部１１ａを通して視認することができる。
さらに、窓部１１ａがレンズ部材１１ｂにより形成されている。したがって、減容した内容器１２が表示部１１１に当接したか否かを外殻体１１の外部からレンズ部材１１ｂを通して視認することで、内容器１２や表示部１１１を、それぞれが拡大された状態で視認することができる。
【００８３】
ところで、内容器１２が減容する過程で、内容器１２の軸上部分１２ａが、周縁部分１２ｂ（他の部分）に比べて優先的に減容変形すると、軸上部分１２ａが連通孔５６を閉塞するおそれがある。この場合、内容器１２内に内容物が残留していても、その内容物は連通孔５６を通過することができず、内容物が内容器１２内に残留したままとなる。
このコンパクト容器１０によれば、表示部１１１が、容器軸Ｏ上に位置した状態で上側に向けて移動可能に支持されている。したがって、内容器１２の軸上部分１２ａが、前述のように周縁部分１２ｂに比べて優先的に減容変形しようとしても、表示部１１１がその減容変形に抵抗する。これにより、周縁部分１２ｂを軸上部分１２ａに比べて優先的に減容変形させることができる。その結果、内容器１２内の内容物が残留するのを抑制することが可能になり、内容物を効率的に使用することができる。
【００８４】
また、下方移動した操作部５８を上方に向けて付勢する付勢部１０１が備えられる。このため、操作部５８の押し下げを解除したときに、付勢部１０１が、操作部５８を押し下げ前の元の位置まで安定して戻す。つまり、弾性変形させられた操作部５８が復元変形することを、付勢部１０１がアシストする。これにより、内容器１２から連絡空間６５へと内容物が安定して吸い込まれ、次に操作部５８を押し下げたときの内容物の吐出量を、所望の量の通りとすることができる。
したがって、本実施形態のコンパクト容器１０は、内容物の吐出量の調整が容易である。
【００８５】
また、付勢部１０１によって操作部５８が押し下げ前の位置に安定して戻されるため、操作部５８の操作性がよい。これにより、操作部５８を、例えばエラストマー等の弾性変形可能な軟材質で形成することで、第２弁体１６によるシール性を確保した場合でも、良好な復元性を持たせることができる。
【００８６】
また操作部５８が、連絡空間６５を画成しているので、例えば、操作部５８を連絡空間６５の大きさに応じて大きく形成することが可能になり、内容物の吐出に際して使用者が操作可能な範囲を広げることができる。
また本実施形態では、付勢部１０１が、操作部５８のうち、上下方向Ｚから見て第１弁体１５に重なる部分を付勢するので、下記の作用効果が得られる。
すなわちこの場合、操作部５８、付勢部１０１および第１弁体１５を上下方向Ｚに並べて配置できる。操作部５８と第１弁体１５とを近い位置に配置できるので、操作部５８が操作されたときの連絡空間６５の内圧の変動（正圧、負圧）を、第１弁体１５に作用させやすくすることができる。したがって、第１弁体１５の動作が安定する。
また、操作部５８のうち、特に復元変形しにくい第１弁体１５の直上に位置する部分を、付勢部１０１によって確実に元の位置に戻すことができる。
【００８７】
また本実施形態では、付勢部１０１が、内蓋１３と中蓋１４の間に配置されているので、付勢部１０１を設けやすい。また、付勢部１０１が連絡空間６５内から操作部５８を押し上げるように作用して、操作部５８の復元性が良好に維持される。
また本実施形態では、付勢部１０１がドーム状であるので、弾性変形した後の復元性がよい。
また本実施形態では、付勢部１０１を、操作部５８を上方付勢するための最適の材質で形成できる。つまり、付勢部１０１が第１弁体１５および第２弁体１６と別体なので、付勢部１０１の材質の選択の自由度を高められる。また、付勢部１０１の成形性がよい。
【００８８】
また、操作部５８に環状の薄肉部６４が形成されている。したがって、操作部５８において薄肉部６４の径方向内側に位置する部分を、薄肉部６４を起点として大きく弾性変形させやすくすることができる。これにより、連絡空間６５の内圧を大きく増減させることが可能になり、内容物の吐出量の調整をより容易にすることができる。
【００８９】
また中蓋１４が、装着リング５７を備えている。したがって、操作部５８の弾性変形に基づく操作性を確保しつつも装着リング５７を適度に硬質に形成し、中蓋１４の内蓋１３への装着性を装着リング５７により確保することができる。これにより、操作部５８の操作性および中蓋１４の装着性の両方を確保することができる。
【００９０】
なお、本発明は前述の実施形態に限定されず、例えば下記に説明するように、本発明の趣旨を逸脱しない範囲において種々の変更を加えることが可能である。
【００９１】
前述の実施形態では、標識部１１４の文字が凸部１１８により形成されているが、凹部により形成されていてもよい。この場合、凹部内に残留する内容物を、凹部内から表示部の外周縁部に逃がすための逃がし溝部を更に設けてもよい。
また、標識部１１４が文字をなさなくてもよい。例えば標識部１１４が、文字とは異なる記号、符号、図形などを形成してもよい。前記第１実施形態では、使用者が標識部１１４を視認したときに、標識部１１４が示す意味内容（「ＥＮＤ」）に基づいて、内容物の残量が無くなったことを認識することができるが、標識部１１４が示す意味内容はこれに限られない。
【００９２】
また、内容物の色と、表示部１１１の色と、を適宜調整してもよい。
例えば、内容物の色と、表示部１１１の色と、が同じで、前記第１実施形態のように、標識部１１４の文字（記号、符号、図形などの標識）が凸部１１８により形成されている場合、標識部１１４が示す意味内容を、前記第１実施形態と同様に残量が無いことを使用者に認識させることが可能なものにしてもよい。この場合、内容器１２の減容変形により、凸部１１８に内容器１２が当接しても、文字列を認識しにくい一方、内容物が無くなり、内容器１２が表示部１１１の下面に圧接すると、文字列（凸部１１８）を内容器１２から浮び上らせることで、文字列が視認可能になるため、残量が無いことを使用者に認識させることができる。
例えば、内容物の色と、表示部１１１の色と、が異なり、前記第１実施形態のように、標識部１１４の文字（記号、符号、図形などの標識）が凸部１１８により形成されている場合、標識部１１４が示す文字列の意味内容を、前記第１実施形態とは異なり、残量がわずかであることを使用者に認識させることが可能なものにしてもよい。この場合、内容器１２の減容変形により、凸部１１８に内容器１２が当接すると、文字列（凸部１１８）が視認可能になるため、残量がわずかであることを使用者に認識させることができる。一方、内容物が無くなり、内容器１２が表示部１１１に圧接すると、文字列が内容器１２から浮かび上ることで、残量が無いことを使用者に認識させることができる。
例えば、内容物の色と、表示部１１１の色と、が異なり、標識部１１４の文字（記号、符号、図形などの標識）が、前記第１実施形態とは異なり凹部により形成されている場合、標識部１１４が示す文字列の意味内容を、前記第１実施形態と同様に残量が無いことを使用者に認識させることが可能なものにしてもよい。この場合、内容器１２の減容変形により、表示部１１１の下面に内容器１２が近接、当接しても、文字列を認識しにくい一方、内容物が無くなり、内容器１２が表示部１１１の下面に圧接するときに、表示部１１１の下面から内容物を排出させながら、凹部内に内容物を残存させることで、文字列（凹部）が視認可能になるため、残量が無いことを使用者に認識させることができる。
例えば、内容物の色と、表示部１１１の色と、が同じで、標識部１１４の文字（記号、符号、図形などの標識）が、前記第１実施形態とは異なり凹部により形成されている場合、標識部１１４が示す文字列の意味内容を、前記第１実施形態と同様に残量が無いことを使用者に認識させることが可能なものにしてもよい。この場合、内容器１２の減容変形により、表示部１１１の下面に内容器１２が近接、当接しても、文字列を認識しにくい一方、内容物が無くなり、内容器１２が表示部１１１の下面に圧接するときに、表示部１１１の下面からだけでなく凹部内からも前記逃がし溝部を通して内容物を排出することで、文字列（凹部）を窪ませて立体的に視認可能になるため、残量が無いことを使用者に認識させることができる。
【００９３】
さらに、標識部１１４がなくてもよい。例えば図８に示す変形例に係る表示部１３１のように、表示部１３１が、弾性変形可能な帯状部材１３２により形成されていてもよい。帯状部材１３２は、上下方向Ｚから見た平面視においてらせん状をなす。帯状部材１３２の一端部は、他端部よりも径方向の外側に位置する。帯状部材１３２の一端部は、内蓋１３の係止部５１ａに連結されている。帯状部材１３２は、一端部から他端部に向かうに従い下方に向けて延びている。
この場合、内容器１２内の内容物が減少して内容器１２が減容変形すると、まず、帯状部材１３２の他端部（帯状部材１３２がなすらせん形状の中央部分）が内容器１２に当接する。その後、さらに内容器１２が減容変形すると、帯状部材１３２が上下方向Ｚに徐々に圧縮変形させられ、内容器１２と帯状部材１３２との接触面積が大きくなる。このとき、帯状部材１３２は、その他端部から一端部に向けて（らせん形状の中央部分から外周部分に向けて）徐々に内容器１２と当接する。帯状部材１３２において、係止部５１ａとの連結部分を含む全体が内容器１２に当接し、帯状部材１３２の全体が内容器１２を通して視認可能になったら、使用者は、内容器１２内の残量がなくなったことを認識することができる。
【００９４】
前述の実施形態では、付勢部１０１が、操作部５８のうち、上下方向Ｚから見て第１弁体１５に重なる部分を付勢する。付勢部は、操作部５８のうち、上下方向Ｚから見て第１弁体１５に重ならない部分を付勢してもよい。
付勢部は、内蓋１３と中蓋１４の間に配置されなくてもよい。
【００９５】
特に図示しないが、連絡空間６５が、連通孔５６が開口する主連絡空間と、主連絡空間に連通する副連絡空間と、を備え、副連絡空間を画成する壁面の少なくとも一部を、操作部としてもよい。この場合、副連絡空間内に付勢部を設けるとともに、付勢部が操作部を上方に向けて付勢してもよい。さらにこの場合、前記副連絡空間を、容器軸と同軸の環状とし、操作部を、前記副連絡空間を画成する環状に形成してもよい。
操作部は、上方に向けて膨出するボタン状またはドーム状であってもよい。
【００９６】
付勢部は、内蓋１３に一体に形成されてもよい。
この場合、付勢部が内蓋１３に一体に形成されるので、部品点数を削減でき、コンパクト容器の構造を簡素化できる。また、付勢部が容器内で移動することが抑制されるので、付勢部の機能が良好に維持される。
付勢部がなくてもよい。
【００９７】
弾性板８２は、操作部５８と一体に形成される代わりに、内蓋１３の上部材４７と一体に形成されてもよい。弾性板８２の形状は、四角形板状に限らず、それ以外の板状、および板状以外の形状等に適宜変更してよい。
【００９８】
操作部５８の平面視形状は、特に限定されず、楕円形状であってもよいし、三角形状であってもよいし、四角形状であっても、五角形以上の多角形状であってもよい。
操作部５８が、上部材４７と一体に形成されず、上部材４７とは別体により形成され、上部材４７に装着されてもよい。
また、内容器１２の形状は、特に限定されず、例えば、楕円筒状であってもよいし、角筒状であってもよい。
また、内容器１２と内蓋１３と中蓋１４とは、リフィル容器１７を構成していなくてもよい。すなわち、内容物を使い切った際に、内容器１２を交換できない構成であってもよい。
【００９９】
装着リング５７が設けられなくてもよい。装着リング５７を備えることに代えて、弾性変形可能な操作部５８（弾性変形部）が、例えば有頂筒状に形成される等して内蓋１３に装着されてもよい。
吐出孔６６が、操作部５８に形成されていなくてもよい。例えば、装着リング５７に、径方向内側に向けて突出するとともに連絡空間６５を画成するフランジを設け、このフランジに吐出孔６６を設けてもよい。
吐出孔６６が、１つだけ形成されていてもよい。
第２弁体１６が、操作部５８によって形成されていなくてもよく、第２弁体１６を、操作部５８とは別の部材によって形成してもよい。
操作部５８に薄肉部６４が形成されなくてもよい。
【０１００】
その他、本発明の趣旨を逸脱しない範囲で、上述した実施形態における構成要素を周知の構成要素に置き換えることは適宜可能であり、また、上述した実施形態および変形例を適宜組み合わせてもよい。
【符号の説明】
【０１０１】
１０   コンパクト容器
１１   外殻体
１１ａ 窓部
１１ｂ レンズ部材
１２   内容器
１３   内蓋
１４   中蓋
１５   第１弁体
１６   第２弁体
５６   連通孔
５８   操作部
６５   連絡空間
６６   吐出孔
１１１、１３１ 表示部
Ｏ     容器軸
【図１】
2019097826.tif 000003
【図２】
2019097826.tif 000004
【図３】
2019097826.tif 000005
【図４】
2019097826.tif 000006
【図５】
2019097826.tif 000007
【図６】
2019097826.tif 000008
【図７】
2019097826.tif 000009
【図８】
2019097826.tif 000010